(57)【要約】【課題】骨塩量を測定する際に取得された画像を、骨の診断に適した態様で表示することを目的とする。【解決手段】画像表示処理においては、骨塩分布画像データ、低いエネルギーのＸ線によるロー透過Ｘ線画像データ、または、高いエネルギーのＸ線によるハイ透過Ｘ線画像データのうち、背景画像を表示する画像データが選択される。そして、選択された画像データに基づいて背景画像がディスプレイに表示される。背景画像が表示された後、ユーザの操作に基づいて背景画像上に関心領域が設定される。そして、ユーザの操作に基づいて骨塩分布画像データ、ロー透過Ｘ線画像データ、または、ハイ透過Ｘ線画像データのうち、関心領域を表示する画像データが選択され、選択された画像データによる画像に関心領域が置き換えられた合成画像がディスプレイに表示される。【選択図】図１
2012196401.tif 000002
【特許請求の範囲】
【請求項１】
被検体を透過した第１Ｘ線に基づいて第１Ｘ線画像データを生成し、前記第１Ｘ線のエネルギーとは異なるエネルギーを有し、前記被検体を透過した第２Ｘ線に基づいて第２Ｘ線画像データを生成する透過Ｘ線画像データ生成部と、
前記第１Ｘ線画像データおよび前記第２Ｘ線画像データに基づいて、前記被検体内の骨塩の分布を表す骨塩分布画像データを生成する骨塩分布画像データ生成部と、
前記第１Ｘ線画像データ、前記第２Ｘ線画像データ、または前記骨塩分布画像データのうちいずれかを、背景画像を表す背景画像データとして選択する背景画像選択部と、
前記背景画像に対して関心領域を設定する関心領域設定部と、
前記関心領域の画像を表示するための関心領域データとして、前記第１Ｘ画像データ、前記第２Ｘ線画像データ、または、前記骨塩分布画像データのうちいずれかを選択する関心領域画像選択部と、
前記背景画像のうち前記関心領域に対応する部分が、前記関心領域データに基づく画像に置き換えられた合成画像を表示手段に表示させる合成画像生成部と、
を備えることを特徴とする骨診断画像表示装置。
【請求項２】
請求項１に記載の骨診断画像表示装置において、
前記背景画像選択部は、
前記第１Ｘ線画像データまたは前記第２Ｘ線画像データのいずれかを前記被検体のＸ線に対する吸収率に基づいて選択する処理を実行することを特徴とする骨診断画像表示装置。
【請求項３】
請求項１または請求項２に記載の骨診断画像表示装置において、
前記第１Ｘ線画像データおよび前記第２Ｘ線画像データに基づいて、前記被検体における骨部組織と軟部組織との境界線を表す骨部組織線データを生成する骨部組織線データ生成部を備え、
前記合成画像生成部は、
前記骨部組織線データによって表される境界線を前記合成画像に重ねて前記表示手段に表示させることを特徴とする骨診断画像表示装置。
【請求項４】
請求項１から請求項３のいずれか１項に記載の骨診断画像表示装置において、
前記第１Ｘ線画像データに基づいて、前記被検体の軟部組織と空気との境界線を表す軟部組織戦データを生成する軟部組織線データ生成部を備え、
前記合成画像生成部は、
前記軟部組織線データによって表される境界線を前記合成画像に重ねて前記表示手段に表示させることを特徴とする骨診断画像表示装置。
【請求項５】
請求項１から請求項４のいずれか１項に記載の骨診断画像表示装置において、
前記関心領域画像選択部は、
前記第１Ｘ線画像データに基づく画像、前記第２Ｘ線画像データに基づく画像、および前記骨塩分布画像データに基づく画像を、予め定められた順序で前記表示手段に巡回的に表示させる巡回表示手段と、
前記巡回表示手段に基づく画像表示が行われているときに、前記第１Ｘ線画像データ、前記第２Ｘ線画像データ、または前記骨塩分布画像データのうちいずれかをユーザに指定させる巡回画像指定手段と、
を備えることを特徴とする骨診断画像表示装置。
【請求項６】
請求項１から請求項５のいずれか１項に記載の骨診断画像表示装置において、
前記合成画像生成部は、
前記関心領域データに対しスムージング処理を施すスムージング処理手段と、
前記背景画像のうち前記関心領域に対応する部分が、前記スムージング処理が施された前記関心領域データに基づく画像に置き換えられたスムージング合成画像と、前記背景画像のうち前記関心領域に対応する部分が、前記スムージング処理が施されていない前記関心領域データに基づく画像に置き換えられた非スムージング合成画像と、を交互に前記表示手段に表示させる交代表示手段と、
前記交代表示手段に基づく画像表示が行われているときに、前記スムージング合成画像、または、前記非スムージング合成画像のうちいずれかをユーザに指定させる交代画像指定手段と、
を備えることを特徴とする骨診断画像表示装置。
【発明の詳細な説明】
【技術分野】
【０００１】
本発明は、骨診断画像表示装置に関し、特に、エネルギーの異なる２種類のＸ線を用いて、骨塩の分布を表す骨塩分布画像データを取得する装置に関する。
【背景技術】
【０００２】
骨粗鬆症等の診断を行うための評価値として骨塩量および骨密度があり、Ｘ線によってその測定を行う骨密度測定装置が広く用いられている。骨密度測定装置は、Ｘ線発生器から発せられ被検体を透過したＸ線をＸ線検出器によって検出し、その検出結果に基づいて被検体の骨塩量を測定する。さらに、Ｘ線発生器への骨の投影面積である骨面積を求め、骨塩量を骨面積で除すことで骨密度を求める。
【０００３】
骨密度測定装置が骨塩量を測定する方法には二重エネルギーＸ線吸収測定法（ＤＸＡ：Ｄｕａｌ  Ｘ−ｒａｙ  Ａｂｓｏｐｔｉｏｍｅｔｒｙ）がある。この測定法は、エネルギーが異なる２種類のＸ線のそれぞれについて被検体に対する透過Ｘ線画像データを取得し、これらの透過Ｘ線画像データから骨塩分布画像データを求めるものである。骨塩分布画像データは、被検体内の骨塩の３次元空間分布を平面上に投影した骨塩分布画像を表す。骨密度測定装置は、骨塩分布画像データに基づいて診断対象の骨の骨塩量、骨面積、骨密度等を求め、ディスプレイに数値表示すると共に、骨塩分布画像をディスプレイに表示する。
【０００４】
なお、特許文献１には、骨密度分布測定機能付きＸ線画像診断装置が記載されている。この装置は、骨密度分布画像とＸ線透過像を並べて表示、あるいは重ねて表示する。特許文献２には、Ｘ線画像診断装置が記載されている。この装置は、エネルギーが異なる２種類の放射線を用いて取得された２つの放射線画像に基づいて、骨部組織が強調された骨部画像を生成する。特許文献３には、Ｘ線断層撮影装置が記載されている。この装置は、エネルギーが異なる２種類のＸ線を用いて取得された２つのＸ線画像に基づいて、これらの差分画像を生成する。そして、２つのＸ線画像のうち少なくとも一方と差分画像とを表示する。
【先行技術文献】
【特許文献】
【０００５】
【特許文献１】特開２００５−３４５３９号公報
【特許文献２】特開平１０−１５５１１５号公報
【特許文献３】特開２００８−８６５４３号公報
【発明の概要】
【発明が解決しようとする課題】
【０００６】
骨粗鬆症等の診断においては、骨塩量、骨面積、骨密度等の数値の他、骨塩分布画像が参照されることがある。ユーザは、骨塩分布画像を参照することで、圧迫骨折等によって骨が変形したことを視覚的に認識することができる。しかし、骨塩分布画像は、骨塩量が少ない領域において骨部組織と軟部組織との区別が不明となることがある。また、骨塩分布画像は、被検体の軟部組織をも含めて表すことを目的としていない。そのため、透過Ｘ線画像に基づく骨の診断を常日頃から行っているユーザにとっては、骨塩分布画像のみによって骨の診断を行うことが困難となることがある。
【０００７】
本発明は、骨塩量を測定する際に取得された画像を、骨の診断に適した態様で表示することを目的とする。
【課題を解決するための手段】
【０００８】
本発明は、被検体を透過した第１Ｘ線に基づいて第１Ｘ線画像データを生成し、前記第１Ｘ線のエネルギーとは異なるエネルギーを有し、前記被検体を透過した第２Ｘ線に基づいて第２Ｘ線画像データを生成する透過Ｘ線画像データ生成部と、前記第１Ｘ線画像データおよび前記第２Ｘ線画像データに基づいて、前記被検体内の骨塩の分布を表す骨塩分布画像データを生成する骨塩分布画像データ生成部と、前記第１Ｘ線画像データ、前記第２Ｘ線画像データ、または前記骨塩分布画像データのうちいずれかを、背景画像を表す背景画像データとして選択する背景画像選択部と、前記背景画像に対して関心領域を設定する関心領域設定部と、前記関心領域の画像を表示するための関心領域データとして、前記第１Ｘ画像データ、前記第２Ｘ線画像データ、または、前記骨塩分布画像データのうちいずれかを選択する関心領域画像選択部と、前記背景画像のうち前記関心領域に対応する部分が、前記関心領域データに基づく画像に置き換えられた合成画像を表示手段に表示させる合成画像生成部と、を備えることを特徴とする。
【０００９】
本発明においては、背景画像のうち関心領域として設定された部分が、第１Ｘ線画像データ、第２Ｘ線画像データ、または骨塩分布画像データのうちいずれかに基づく画像に置き換えられた合成画像が表示される。異なるエネルギーのＸ線を以って取得された複数のＸ線画像、および骨塩分布画像には、それぞれ、視認性についての短所および長所がある。本発明によれば、背景画像の短所を関心領域の画像の長所で補うことができる。あるいは、関心領域の画像の短所を背景画像の長所で補うことができる。
【００１０】
また、本発明に係る骨診断画像表示装置は、望ましくは、前記背景画像選択部は、前記第１Ｘ線画像データまたは前記第２Ｘ線画像データのいずれかを前記被検体のＸ線に対する吸収率に基づいて選択する処理を実行する。
【００１１】
このような構成によれば、被検体のＸ線の吸収率に応じてＸ線画像が選択され、表示される背景画像の視認性を向上させることができる。
【００１２】
また、本発明に係る骨診断画像表示装置は、望ましくは、前記第１Ｘ線画像データおよび前記第２Ｘ線画像データに基づいて、前記被検体における骨部組織と軟部組織との境界線を表す骨部組織線データを生成する骨部組織線データ生成部を備え、前記合成画像生成部は、前記骨部組織線データによって表される境界線を前記合成画像に重ねて前記表示手段に表示させる。
【００１３】
Ｘ線画像においては、骨部組織の像の周りに軟部組織の像が現れ、骨部組織と軟部組織との境界が不明確となることがある。したがって、骨部組織線データによって表される境界線を合成画像に重ねて表示することで、Ｘ線画像の短所を補うことができる。
【００１４】
また、本発明に係る骨診断画像表示装置は、望ましくは、前記第１Ｘ線画像データに基づいて、前記被検体の軟部組織と空気との境界線を表す軟部組織戦データを生成する軟部組織線データ生成部を備え、前記合成画像生成部は、前記軟部組織線データによって表される境界線を前記合成画像に重ねて前記表示手段に表示させる。
【００１５】
骨塩分布画像においては、軟部組織が現れないため、軟部組織と空気との境界が不明確となることがある。したがって、軟部組織線データによって表される境界線を合成画像に重ねて表示することで、骨塩分布画像の短所を補うことができる。
【００１６】
また、本発明に係る骨診断画像表示装置は、望ましくは、前記関心領域画像選択部は、前記第１Ｘ線画像データに基づく画像、前記第２Ｘ線画像データに基づく画像、および前記骨塩分布画像データに基づく画像を、予め定められた順序で前記表示手段に巡回的に表示させる巡回表示手段と、前記巡回表示手段に基づく画像表示が行われているときに、前記第１Ｘ線画像データ、前記第２Ｘ線画像データ、または前記骨塩分布画像データのうちいずれかをユーザに指定させる巡回画像指定手段と、を備える。
【００１７】
このような構成によれば、ユーザは、関心領域の画像を第１Ｘ線画像に基づく画像とした場合、第２Ｘ線画像に基づく画像とした場合、および骨塩分布画像に基づく画像とした場合のそれぞれを見比べた上で、固定表示する合成画像を指定することができる。
【００１８】
また、本発明に係る骨診断画像表示装置は、望ましくは、前記合成画像生成部は、前記関心領域データに対しスムージング処理を施すスムージング処理手段と、前記背景画像のうち前記関心領域に対応する部分が、前記スムージング処理が施された前記関心領域データに基づく画像に置き換えられたスムージング合成画像と、前記背景画像のうち前記関心領域に対応する部分が、前記スムージング処理が施されていない前記関心領域データに基づく画像に置き換えられた非スムージング合成画像と、を交互に前記表示手段に表示させる交代表示手段と、前記交代表示手段に基づく画像表示が行われているときに、前記スムージング合成画像、または、前記非スムージング合成画像のうちいずれかをユーザに指定させる交代画像指定手段と、を備える。
【００１９】
このような構成によれば、ユーザは、スムージング処理を用いた場合、およびスムージング処理を用いない場合のそれぞれを見比べた上で、固定表示する画像を指定することができる。
【発明の効果】
【００２０】
本発明によれば、骨塩量を測定する際に取得された画像を、骨の診断に適した態様で表示することができる。
【図面の簡単な説明】
【００２１】
【図１】本発明の実施形態に係る骨密度測定装置の構成を示す図である。
【図２】画像表示処理において骨密度測定装置が実行する処理を示すフローチャートである。
【図３】背景画像として骨塩分布画像が表示された例、および背景画像としてハイ透過Ｘ線画像が表示された例を示す図である。
【図４】背景画像として表示された骨塩分布画像、および背景画像として表示されたロー透過Ｘ線画像を示す図である。
【図５】背景画像として表示された骨塩分布画像、および背景画像として表示されたロー透過Ｘ線画像を示す図である。
【図６】関心領域が設定されたときの表示状態を示す図である。
【図７】背景画像としてハイ透過Ｘ線画像が表示され、関心領域表示用画像データとして骨塩分布画像データが選択された場合における合成画像の表示状態を示す図である。
【図８】背景画像に対し関心領域が設定され、関心領域表示用画像データとしてロー透過Ｘ線画像データが選択された場合における合成画像を示す図である。
【図９】応用例に係る画像表示処理において骨密度測定装置が実行する処理を示すフローチャートである。
【図１０】第２の応用例に係る画像表示処理において骨密度測定装置が実行する処理を示すフローチャートである。
【図１１】スムージング画像および非スムージング画像の例を示す図である。
【図１２】第３の応用例に係る画像表示処理において骨密度測定装置が実行する処理を示すフローチャートである。
【図１３】関心領域に骨部組織線を表示した例を示す図である。
【図１４】関心領域に軟部組織線を表示した例を示す図である。
【発明を実施するための形態】
【００２２】
図１には本発明の実施形態に係る骨密度測定装置の構成が示されている。骨密度測定装置は、被検体１６を透過したＸ線に基づいて、透過Ｘ線画像データ、および骨塩分布画像データを取得する。骨密度測定装置は、骨塩分布画像データに基づいて骨塩量、骨面積および骨密度を求め、これらの値をディスプレイ３２に表示する。また、ユーザの操作に応じて、透過Ｘ線画像または骨塩分布画像をディスプレイ３２に表示する。
【００２３】
骨密度測定装置の具体的な構成について説明する。骨密度測定装置は、Ｘ線発生部１０、Ｘ線検出部１２、被検体定置台１８、プロセッサ２２、記憶部２６、ディスプレイ３２、操作部３４、およびシステムコントローラ３６を備える。プロセッサ２２内には、Ｘ線検出部１２の検出値に基づいて、骨塩量、骨面積および骨密度を求める各演算ブロック、ならびに、Ｘ線検出部１２の検出値に基づいて、透過Ｘ線画像データおよび骨塩分布画像データを生成する各演算ブロックが構成される。
【００２４】
Ｘ線発生部１０は、Ｘ線放射方向を上に向けて配置されている。Ｘ線検出部１２は、検出面１４が下に向けられＸ線発生部１０に対向させて配置されている。Ｘ線発生部１０とＸ線検出部１２との間には、Ｘ線を透過する材料で形成された被検体定置台１８が配置されている。被検体定置台１８上には被検体１６が定置され、Ｘ線発生部１０の上方から被検体定置台１８の上方にかけては、Ｘ線ビームが走査される診断空間２０が形成される。
【００２５】
操作部３４は、キーボード、マウス、トラックボール等の情報を入力する機構を含み、ユーザの操作に基づいてシステムコントローラ３６に動作を指示する情報を与える。システムコントローラ３６は、操作部３４から与えられた情報に基づいて、Ｘ線発生部１０、Ｘ線検出部１２およびプロセッサ２２を制御する。これによって、Ｘ線発生部１０、Ｘ線検出部１２およびプロセッサ２２は、操作部３４における操作に応じた処理を実行する。
【００２６】
骨密度測定装置が実行する処理について説明する。Ｘ線発生部１０、Ｘ線検出部１２、および画像データ生成部２４は、二重エネルギーＸ線吸収測定法に基づいて被検体１６の透過Ｘ線画像データ、および骨塩分布画像データを取得する。この測定法においては、エネルギーが異なる２種類のＸ線ビームのそれぞれについて被検体１６に対する透過Ｘ線画像データが求められ、各透過Ｘ線画像データから骨塩分布画像データが求められる。
【００２７】
被検体１６は、Ｘ線発生部１０とＸ線検出部１２との間に定置される。Ｘ線発生部１０は、放射するＸ線ビームのエネルギーをロー値ＥＬとし、診断空間２０内においてＸ線ビームを走査する。Ｘ線検出部１２は、検出面１４上の各検出位置においてＸ線を検出し、各検出位置における検出値を画像データ生成部２４に出力する。画像データ生成部２４は、Ｘ線検出部１２から出力された各検出値に基づいて、エネルギーＥＬに対するロー透過Ｘ線画像データを求める。
【００２８】
また、Ｘ線発生部１０は、放射するＸ線ビームのエネルギーをロー値Ｅ１より大きいハイ値ＥＨとし、診断空間２０内においてＸ線ビームを走査する。Ｘ線検出部１２は、検出面１４上の各検出位置においてＸ線を検出し、各検出位置における検出値を画像データ生成部２４に出力する。画像データ生成部２４は、Ｘ線検出部１２から出力された検出値に基づいて、エネルギーＥＨに対するハイ透過Ｘ線画像データを求める。
【００２９】
なお、ロー透過Ｘ線画像データおよびハイ透過Ｘ線画像データは、Ｘ線ビームのエネルギーを時分割で交互に切り替えることで求めてもよい。すなわち、Ｘ線発生部１０が走査するＸ線ビームのエネルギーを、ロー値ＥＬおよびハイ値ＥＨで交互に切り替え、検出面１４上の各検出位置においてエネルギーＥＬのＸ線およびエネルギーＥＨのＸ線を交互に検出することでロー透過Ｘ線画像データおよびハイ透過Ｘ線画像データを求めてもよい。
【００３０】
骨塩画像データ生成部２４は、ロー透過Ｘ線画像データおよびハイ透過Ｘ線画像データに基づいて、骨塩分布画像データを求める。画像データ生成部２４は、ロー透過Ｘ線画像データ、ハイ透過Ｘ線画像データおよび骨塩分布画像データを記憶部２６に記憶する。
【００３１】
測定値演算部２８は、記憶部２６に記憶されている骨塩分布画像データを読み込む。そして、骨塩分布画像データの画素値を積算して骨塩量を求める。また、骨塩分布画像データが示す画素のうち、画素値が所定の閾値を超えるものの個数を求め、その個数に単位画素当たりの面積を乗じて骨面積を求める。測定値演算部２８は、骨塩量を骨面積で除すことで骨密度を求め、骨塩量、骨面積、および骨密度を画像生成部３０に出力する。画像生成部３０は、骨塩量、骨面積、および骨密度をディスプレイ３２に数値表示させる。
【００３２】
次に、骨密度測定装置の画像表示処理について説明する。画像表示処理においては、骨塩分布画像データ、ロー透過Ｘ線画像データ、または、ハイ透過Ｘ線画像データのうち、背景画像を表示する画像データが選択される。そして、選択された画像データに基づいて背景画像がディスプレイ３２に表示される。背景画像が表示された後、ユーザの操作に基づいて背景画像上に関心領域が設定される。そして、ユーザの操作に基づいて骨塩分布画像データ、ロー透過Ｘ線画像データ、または、ハイ透過Ｘ線画像データのうち、関心領域を表示する画像データが選択され、選択された画像データによる画像に関心領域が置き換えられた合成画像がディスプレイ３２に表示される。
【００３３】
図２には、画像表示処理において骨密度測定装置が実行する処理を示すフローチャートが示されている。最初に操作部３４において、背景画像表示モードの設定が行われる（Ｓ１０１）。背景画像表示モードには、骨塩分布モード、ロー透過Ｘ線モード、ハイ透過Ｘ線モード、および自動選択モードがある。骨塩分布モード、ロー透過Ｘ線モード、およびハイ透過Ｘ線モードは、それぞれ、骨塩分布画像、ロー透過Ｘ線画像、およびハイ透過Ｘ線画像を背景画像とする表示モードである。また、自動選択モードは、ロー透過Ｘ線画像、またはハイ透過Ｘ線画像のうちいずれか一方を、被検体を透過したＸ線の光子量（ロー透過Ｘ線画像またはハイ透過Ｘ線画像の画素値）に基づいて選択し、選択した画像を背景画像とする表示モードである。被検体を透過したＸ線の光子量、すなわち画素値は、被検体のＸ線に対する吸収率に依存するため、自動選択モードは、被検体のＸ線に対する吸収率に基づく処理を実行するモードであるといえる。
【００３４】
システムコントローラ３６は、設定された背景画像表示モードを示す背景画像モード情報を画像生成部３０に与える。画像生成部３０は、自動選択モードが設定されたか否かを背景画像モード情報に基づいて判定する（Ｓ１０２）。そして、自動選択モードでない表示モードが設定された旨の判定をしたときは、設定された表示モードに応じた背景画像をディスプレイ３２に表示させる（Ｓ１０４）。すなわち、骨塩分布モードが設定されたときは、画像生成部３０は、骨塩分布画像データを記憶部２６から読み込み、背景画像として骨塩分布画像をディスプレイ３２に表示させる。また、ロー透過Ｘ線画像モードが設定されたときは、画像生成部３０は、ロー透過Ｘ線画像データを記憶部２６から読み込み、背景画像としてロー透過Ｘ線画像をディスプレイ３２に表示させる。そして、ハイ透過Ｘ線画像モードが設定されたときは、画像生成部３０は、ハイ透過Ｘ線画像データを記憶部２６から読み込み、背景画像としてハイ透過Ｘ線画像をディスプレイ３２に表示させる。
【００３５】
画像生成部３０は、自動選択モードが設定された旨の判定をしたときは、次のような処理に基づいて、ロー透過Ｘ線画像、またはハイ透過Ｘ線画像のうちいずれか一方を背景画像として選択する（Ｓ１０３）。画像生成部３０は、ロー透過Ｘ線画像データを記憶部２６から読み込む。そして、ロー透過Ｘ線画像データの画素のうち、画素値が所定の閾値以下であるものの個数を求める。画像生成部３０は、求められた個数が所定値以下であるときは、ハイ透過Ｘ線画像を背景画像として選択し、求められた個数が所定値を超えるときは、ロー透過Ｘ線画像を背景画像として選択する。このような選択処理は、ロー透過Ｘ線画像データの代わりに、ハイ透過Ｘ線画像データを用いて行ってもよい。この場合、ハイ透過Ｘ線画像データの画素のうち、画素値が所定の閾値以上であるものの個数を求める。画像生成部３０は、求められた個数が所定値以上であるときは、ロー透過Ｘ線画像を背景画像として選択し、求められた個数が所定値未満であるときは、ハイ透過Ｘ線画像を背景画像として選択する。
【００３６】
画像生成部３０は、ステップＳ１０３で選択された画像を背景画像としてディスプレイ３２に表示させる（Ｓ１０４）。すなわち、ハイ透過Ｘ線画像が選択されたときは、画像生成部３０は、ハイ透過Ｘ線画像データに基づいて、ハイ透過Ｘ線画像をディスプレイ３２に表示させる。他方、ロー透過Ｘ線画像が選択されたときは、画像生成部３０は、ロー透過Ｘ線画像データに基づいて、ロー透過Ｘ線画像をディスプレイ３２に表示させる。
【００３７】
図３（ａ）には、背景画像として骨塩分布画像が表示された例が模式的に示されている。この例における診断対象は被検体の前腕部である。図３（ａ）の白色の領域は骨部組織を示す。また、図３（ｂ）には、背景画像としてハイ透過Ｘ線画像が表示された例が模式的に示されている。図３（ｂ）の白色の領域は骨部組織を示し、その周りに網掛けが施してある領域は軟部組織を示す。ロー透過Ｘ線画像は、骨部組織および軟部組織の領域が、これよりも暗く表示されたものとなる。
【００３８】
図４（ａ）は、背景画像として表示された骨塩分布画像を示し、図４（ｂ）は、背景画像として表示されたロー透過Ｘ線画像を示す。また、図５（ａ）および（ｂ）は、診断対象を被検体の踵骨としたものである。図５（ａ）は、背景画像として表示された骨塩分布画像を示し、図５（ｂ）は、背景画像として表示されたロー透過Ｘ線画像を示す。
【００３９】
なお、図２のステップＳ１０２における自動選択モードの処理は、被検体の体格に関する体格データ、または、診断部位等を示すデータに基づいて行われてもよい。例えば、被検体の体重が所定の基準値を上回った場合や、被検体の腹囲が所定の基準値を上回った場合には、画像生成部３０は、ハイ透過Ｘ線画像を背景画像として選択する。また、診断部位が腰椎等、厚みのある部位である場合には、画像生成部３０は、ハイ透過Ｘ線画像を背景画像として選択する。この場合、ユーザは、操作部３４の操作により被検体の体格データ、または診断部位等を示すデータを診断に先立って入力する。システムコントローラ３６は、操作部３４から体格データ、または診断部位等を示すデータを読み込み、記憶部２６に記憶させる。画像生成部３０は、記憶部２６に記憶されたデータに基づいて自動選択モードの処理を実行する。
【００４０】
図２に戻って再びフローチャートの説明を行う。ステップＳ１０４においてディスプレイ３２に背景画像が表示されると共に、システムコントローラ３６および画像生成部３０は、関心領域の設定、および関心領域を表示する画像データの選択を待機する状態となる。ユーザは、この状態においてディスプレイ３２を参照し、操作部３４の操作によって、背景画像上にカーソルを表示させ関心領域を設定する（Ｓ１０５）。さらに、ユーザは、操作部３４の操作によって、骨塩分布画像データ、ロー透過Ｘ線画像データまたはハイ透過Ｘ線画像データのうち、関心領域を表示する画像データを選択する（Ｓ１０６）。関心領域を設定する操作が行われると、システムコントローラ３６は、関心領域の範囲を示す範囲情報を画像生成部３０に与える。さらに、関心領域を表示する画像データを選択する操作が行われると、システムコントローラ３６は、選択された画像データの種別を示す画像種別情報を画像生成部３０に与える。
【００４１】
画像生成部３０は、骨塩分布画像データ、ロー透過Ｘ線画像データまたはハイ透過Ｘ線画像データのうち、画像種別情報によって識別される画像データを関心領域表示用画像データとする。そして、背景画像を表示する画像データ、関心領域表示用画像データおよび範囲情報に基づいて、背景画像のうち関心領域の部分が関心領域表示用画像データによる画像に置き換えられた合成画像を表示する合成画像データを生成する（Ｓ１０７）。画像生成部３０は、合成画像データに基づき、合成画像をディスプレイ３２に表示させる（Ｓ１０８）。
【００４２】
図６（ａ）には、背景画像として骨塩分布画像が表示された場合において、ステップＳ１０５によって関心領域が設定されたときの表示状態が示されている。図６（ａ）の破線は関心領域３８を示す。また、図６（ｂ）には、関心領域表示用画像データとしてハイ透過Ｘ線画像データが選択された場合における合成画像の表示状態が示されている。そして、図７には、背景画像としてハイ透過Ｘ線画像が表示され、関心領域表示用画像データとして骨塩分布画像データが選択された場合における合成画像の表示状態が示されている。
【００４３】
図８（ａ）には、図４（ａ）に示された背景画像に対し関心領域が設定され、関心領域表示用画像データとしてロー透過Ｘ線画像データが選択された場合における合成画像が示されている。また、図８（ｂ）には、図５（ａ）に示された背景画像に対し関心領域が設定され、関心領域表示用画像データとしてロー透過Ｘ線画像データが選択された場合における合成画像が示されている。
【００４４】
このような処理によれば、背景画像の短所を関心領域の画像の長所で補うことができる。あるいは、関心領域の画像の短所を背景画像の長所で補うことができる。骨塩分布画像、ロー透過Ｘ線画像およびハイ透過Ｘ線画像のそれぞれの長所は次の通りである。
【００４５】
骨塩分布画像には、例えば、次の（１）および（２）に示すような長所、ならびに、（３）に示すような短所がある。（１）骨部組織を明確に表示することができる。（２）骨塩の分布を視覚的にユーザに把握させることができる。しかし、骨塩分布画像には、（３）骨密度が低い部分は、軟部組織との区別が困難であるという短所がある。
【００４６】
ロー透過Ｘ線画像およびハイ透過Ｘ線画像には、例えば、次の（１）〜（３）に示すような長所がある。（１）透過Ｘ線画像に基づく骨の診断を常日頃から行っているユーザにとっては診断が容易である。（２）骨塩分布画像よりもノイズが小さい。（３）軟部組織が画像に現れる。そのため、骨の大きさの把握が容易となる。
【００４７】
さらに、ロー透過Ｘ線画像には、骨塩分布画像に比べて骨密度が低い部分が現れ易い、ハイ透過Ｘ線画像に比べてコントラストが明確である等の長所がある。また、ハイ透過Ｘ線画像には、骨密度が高い部位、厚みのある部位等についても、診断が容易な画像を取得することができる、骨塩分布画像およびロー透過Ｘ線画像よりもノイズが小さい等の長所がある。骨塩分布画像、ロー透過Ｘ線画像およびハイ透過Ｘ線画像は、相互に短所を補う関係となり得る。
【００４８】
例えば、図８（ａ）においては、尺骨茎状突起を含む領域が関心領域とされ、関心領域がロー透過Ｘ線画像データによって表示されている。これによって、関心領域では、軟部組織と骨の位置基準となる尺骨茎状突起の位置関係が明確になる。また、背景画像では、骨塩の分布が視覚的に表される。また、図８（ｂ）においては、骨密度が低い領域が関心領域とされ、関心領域がロー透過Ｘ線画像データによって表示されている。これによって、骨密度が低く骨塩分布画像では形状が現れない骨部組織および軟部組織を、ロー透過Ｘ線画像を以て表示することができる。
【００４９】
次に、応用例に係る画像表示処理について説明する。図９には応用例に係る画像表示処理を示すフローチャートが示されている。この画像表示処理においては、関心領域を表示する画像データを骨塩分布画像データとした場合、ロー透過Ｘ線画像データとした場合、および、ハイ透過Ｘ線画像データとした場合のそれぞれの合成画像である、骨塩分布・合成画像、ローＸ線・合成画像、およびハイＸ線・合成画像が巡回的に表示される。このような巡回的な表示が行われているときに、操作部３４において表示固定操作（マウスのクリック等）が行われると、そのときに表示されている合成画像の表示が維持される。
【００５０】
最初に図２のステップＳ１０１〜Ｓ１０５に示される処理が実行される。ステップＳ１０４によってディスプレイ３２に背景画像が表示されると共に、システムコントローラ３６および画像生成部３０は、関心領域の設定を待機する状態となる。ユーザは、この状態においてディスプレイ３２を参照し、操作部３４の操作によって、背景画像上にカーソルを表示させ関心領域を設定する（Ｓ１０５）。関心領域を設定する操作が行われると、システムコントローラ３６は、関心領域の範囲を示す範囲情報を画像生成部３０に与える。
【００５１】
画像生成部３０は、骨塩分布画像データ、ロー透過Ｘ線画像データ、ハイ透過Ｘ線画像データ、背景画像を表示する画像データ、および範囲情報に基づいて、骨塩分布・合成画像データ、ローＸ線・合成画像データ、およびハイＸ線・合成画像データを生成する（Ｓ２０１〜Ｓ２０３）。ここで、骨塩分布・合成画像データ、ローＸ線・合成画像データ、およびハイＸ線・合成画像データは、それぞれ、関心領域を表示する画像データを骨塩分布画像データとした場合、ロー透過Ｘ線画像データとした場合、および、ハイ透過Ｘ線画像データとした場合のそれぞれの合成画像データである。
【００５２】
画像生成部３０は、骨塩分布・合成画像を所定の表示時間ｔ１だけディスプレイ３２に表示させる（Ｓ２０４）。そして、骨塩分布・合成画像がディスプレイ３２に表示されてから表示時間ｔ１が経過するまでの間、操作部３４において表示固定操作がなされ、システムコントローラ３６から表示固定情報が与えられたか否かを判定する（Ｓ２０５）。画像生成部３０は、システムコントローラ３６から表示固定情報が与えられたときは、骨塩分布・合成画像をディスプレイ３２に表示させた状態を維持する（Ｓ２１０）。
【００５３】
画像生成部３０は、システムコントローラ３６から表示固定情報が与えられなかったときは、ローＸ線・合成画像を所定の表示時間ｔ２だけディスプレイ３２に表示させる（Ｓ２０６）。そして、ローＸ線・合成画像がディスプレイ３２に表示されてから表示時間ｔ２が経過するまでの間、操作部３４において表示固定操作がなされ、システムコントローラ３６から表示固定情報が与えられたか否かを判定する（Ｓ２０７）。画像生成部３０は、システムコントローラ３６から表示固定情報が与えられたときは、ローＸ線・合成画像をディスプレイ３２に表示させた状態を維持する（Ｓ２１０）。
【００５４】
画像生成部３０は、システムコントローラ３６から表示固定情報が与えられなかったときは、ハイＸ線・合成画像を所定の表示時間ｔ３だけディスプレイ３２に表示させる（Ｓ２０８）。そして、ハイＸ線・合成画像がディスプレイ３２に表示されてから表示時間ｔ３が経過するまでの間に操作部３４において表示固定操作がなされ、システムコントローラ３６から表示固定情報が与えられたか否かを判定する（Ｓ２０９）。画像生成部３０は、システムコントローラ３６から表示固定情報が与えられたときは、ハイＸ線・合成画像をディスプレイ３２に表示させた状態を維持する（Ｓ２１０）。画像生成部３０は、システムコントローラ３６から表示固定情報が与えられなかったときは、ステップＳ２０４に戻る。
【００５５】
このような処理によれば、骨塩分布・合成画像、ローＸ線・合成画像、およびハイＸ線・合成画像が、それぞれの表示時間をｔ１、ｔ２およびｔ３として巡回的に表示される。そして、これらの合成画像のうちいずれかが表示されているときに、ユーザによって表示固定操作がなされたときは、その表示状態が維持される。これによって、ユーザは、骨塩分布・合成画像、ローＸ線・合成画像、およびハイＸ線・合成画像を見比べた上で、固定表示する合成画像を決定することができる。なお、表示時間ｔ１、ｔ２およびｔ３については、１秒から１０秒の間等、操作部３４における操作に基づいて設定する構成としてもよい。また、ここでは、骨塩分布・合成画像、ローＸ線・合成画像、およびハイＸ線・合成画像の順に合成画像を巡回的に表示する処理を採り上げたが、表示の順序はこれに限られない。
【００５６】
次に、第２の応用例に係る画像表示処理について説明する。図１０には第２の応用例に係る画像表示処理を示すフローチャートが示されている。この画像表示処理においては、合成画像が表示された後、合成画像データのうち関心領域を表示するデータについてスムージング処理が施され、スムージング合成画像が生成される。ここで、スムージング処理とは、各画素について平均化を行う処理をいう。この平均化は、例えば、１つの画素の画素値をその１つの画素の近隣の画素の画素値の平均値に置き換えることで行われる。ここで、近隣の画素は、例えば、１つの画素から、上下、左右、および斜め方向に所定の画素数分だけ離れた範囲内の画素として定義される。本応用例に係る画像表示処理においては、スムージング合成画像が生成された後、スムージング合成画像と、非スムージング合成画像（スムージング処理が施されていない通常の合成画像）とが交互に切り換え表示される。切り換え表示が行われているときに、操作部３４において表示固定操作が行われると、そのときに表示されている合成画像の表示が維持される。
【００５７】
最初に図２のステップＳ１０１〜Ｓ１０８に示される処理が実行される。画像生成部３０は、合成画像データから関心領域を表示する関心領域データを抽出し（Ｓ３０１）、関心領域データに対しスムージング処理を施す（Ｓ３０２）。そして、元の合成画像データのうち関心領域を表示するデータを、スムージング処理が施された関心領域データに置き換え、スムージング合成画像データを生成する（Ｓ３０３）。
【００５８】
画像生成部３０は、スムージング合成画像を所定の表示時間ｔ４だけディスプレイ３２に表示させる（Ｓ３０４）。そして、スムージング合成画像がディスプレイ３２に表示されてから表示時間ｔ４が経過するまでの間、操作部３４において表示固定操作がなされ、システムコントローラ３６から表示固定情報が与えられたか否かを判定する（Ｓ３０５）。画像生成部３０は、システムコントローラ３６から表示固定情報が与えられたときは、スムージング合成画像をディスプレイ３２に表示させた状態を維持する（Ｓ３０８）。
【００５９】
画像生成部３０は、システムコントローラ３６から表示固定情報が与えられなかったときは、非スムージング合成画像を所定の表示時間ｔ５だけディスプレイ３２に表示させる（Ｓ３０６）。そして、非スムージング合成画像がディスプレイ３２に表示されてから表示時間ｔ５が経過するまでの間、操作部３４において表示固定操作がなされ、システムコントローラ３６から表示固定情報が与えられたか否かを判定する（Ｓ３０７）。画像生成部３０は、システムコントローラ３６から表示固定情報が与えられたときは、非スムージング合成画像をディスプレイ３２に表示させた状態を維持する（Ｓ３０８）。画像生成部３０は、システムコントローラ３６から表示固定情報が与えられなかったときは、ステップＳ３０４に戻る。
【００６０】
このような処理によれば、スムージング合成画像、および非スムージング合成画像が、それぞれの表示時間をｔ４およびｔ５として交互に表示される。そして、これらの合成画像のうちいずれかが表示されているときに、ユーザによって表示固定操作がなされたときは、その表示が維持される。これによって、ユーザは、スムージング合成画像、および非スムージング合成画像を見比べた上で、固定表示する合成画像を決定することができる。なお、表示時間ｔ４およびｔ５については、操作部３４における操作に基づいて設定する構成としてもよい。
【００６１】
関心領域をハイ透過Ｘ線画像またはロー透過Ｘ線画像とした場合、非スムージング合成画像では、骨部組織の輪郭が明確になる。他方、非スムージング合成画像では、軟部組織の輪郭が明確になる。したがって、本応用例に係る画像表示処理によれば、診断の目的に応じて、スムージング合成画像または非スムージング画像のいずれか一方を表示させることができる。
【００６２】
上記では、図２のステップＳ１０１〜Ｓ１０８に示される処理が実行された後に、ステップＳ３０１以降の処理が実行される例について説明した。このような処理の代わりに、第２の応用例に係る画像表示処理が実行された後、すなわち、図９のステップＳ２１０に示される処理が実行れた後に、ステップＳ３０１以降の処理を実行してもよい。
【００６３】
図１１（ａ）および（ｂ）には、それぞれ、非スムージング画像およびスムージング画像の例が示されている。この例は、マウスを被検体としたものである。背景画像は骨塩分布画像であり、関心領域はロー透過Ｘ線画像である。図１１（ａ）に示されるように、非スムージング画像では、関心領域内に現れる骨部組織の輪郭が明確になる。一方、図１１（ｂ）に示されるように、スムージング画像では、関心領域内に現れる軟部組織の輪郭が明確になる。
【００６４】
次に、第３の応用例に係る画像表示処理について説明する。図１２には第３の応用例に係る画像表示処理において骨密度測定装置が実行する処理を示すフローチャートが示されている。この画像表示処理においては、背景画像が骨塩分布画像であり、関心領域がロー透過Ｘ線画像またはハイ透過Ｘ線画像である場合には、骨部組織と軟部組織との境界線である骨部組織線を表す骨部組織線データが生成される。そして、合成画像の関心領域に骨部組織線が重ねられた画像がディスプレイ３２に表示される。他方、背景画像がロー透過Ｘ線画像またはハイ透過Ｘ線画像であり、関心領域が骨塩分布画像である場合には、軟部組織と空気の境界線（軟部組織の外形線）である軟部組織線を表す軟部組織線データが生成される。そして、合成画像の関心領域に軟部組織線が重ねられた画像がディスプレイ３２に表示される。なお、以下の説明では、ロー透過Ｘ線画像およびハイ透過Ｘ線画像の両者を含む用語として、透過Ｘ線画像の用語を用いる。
【００６５】
最初に図２のステップＳ１０１〜Ｓ１０８に示される処理が実行される。画像生成部３０は、背景画像が骨塩分布画像であり、関心領域が透過Ｘ線画像であるかを判定する（Ｓ４０１）。画像生成部３０は、ステップＳ４０１における判定が肯定的であるときは、ロー透過Ｘ線画像データおよびハイ透過Ｘ線画像データに基づいて、骨部組織線データを求める（Ｓ４０２）。そして、合成画像データおよび骨部組織線データに基づいて、合成画像の関心領域に骨部組織線が重ねられた画像をディスプレイ３２に表示させる（Ｓ４０３）。
【００６６】
画像生成部３０は、ステップＳ４０１における判定が否定的であるときは、背景画像が透過Ｘ線画像であり、関心領域が骨塩分布画像であるかを判定する（Ｓ４０４）。画像生成部３０は、ステップＳ４０４における判定が肯定的であるときは、ロー透過Ｘ線画像データに基づいて軟部組織線データを求める（Ｓ４０５）。そして、合成画像データおよび軟部組織線データに基づいて、合成画像の関心領域に軟部組織線が重ねられた画像をディスプレイ３２に表示させる（Ｓ４０６）。
【００６７】
画像生成部３０は、ステップＳ４０４における判定が否定的であるときは、骨部組織線および軟部組織線が重ねられていない合成画像をディスプレイ３２に表示させる（Ｓ４０７）。
【００６８】
透過Ｘ線画像においては、骨部組織の像の周りに軟部組織の像が現れ、骨部組織と軟部組織との境界が不明確となることがある。ステップＳ４０３によれば、関心領域を透過Ｘ線画像とした場合において骨部組織線が表示される。そのため、関心領域を透過Ｘ線画像とした場合における短所を骨部組織線によって補うことができる。
【００６９】
また、骨塩分布画像においては、軟部組織が現れないため、軟部組織と空気との境界が不明確となることがある。ステップＳ４０６によれば、関心領域を骨塩分布画像とした場合において軟部組織線が表示される。そのため、関心領域を骨塩分布画像とした場合における短所を軟部組織線によって補うことができる。
【００７０】
図１３には、背景画像を骨塩分布画像とし、関心領域をハイ透過Ｘ線画像とした場合において、関心領域に骨部組織線４０を表示した例が模式的に示されている。図１４には、背景画像をハイ透過Ｘ線画像とし、関心領域を骨塩分布画像とした場合において、関心領域に軟部組織線４２を表示した例が模式的に示されている。いずれの図も診断対象の骨は、被検体の前腕部である。図１３においては骨部組織線が黒の実線を以て示され、図１４においては、軟部組織線が黒の実線を以て示されている。合成画像が白黒画像である場合には、骨部組織線および軟部組織線は、黄色、青色等、視認性の良好な色で表示してもよい。
【００７１】
なお、ここでは、背景画像および関心領域の画像の種別に応じて、骨部組織線または軟部組織線のいずれか一方を表示する例について採り上げた。このような処理の他、背景画像および関心領域の画像の種別によらず、操作部３４における操作に応じて、骨部組織線または軟部組織線のいずれか一方、または両者を表示する処理を行ってもよい。また、骨部組織線および軟部組織線は、関心領域のみならず、合成画像の全域に亘って表示することとしてもよい。
【００７２】
また、上記では、図２のステップＳ１０１〜Ｓ１０８に示される処理が実行された後に、ステップＳ４０１以降の処理を実行する例について説明した。このような処理の代わりに、第２の応用例に係る画像表示処理が実行された後、すなわち、図９のステップＳ２１０に示される処理が実行れた後に、ステップＳ４０１以降の処理を実行してもよい。さらに、第３の応用例に係る画像表示処理が実行された後、すなわち、図１０のステップＳ３０８に示される処理が実行された後に、ステップＳ４０１以降の処理を実行してもよい。
【符号の説明】
【００７３】
１０  Ｘ線発生部、１２  Ｘ線検出部、１４  検出面、１６  被検体、１８  被検体定置台、２０  診断空間、２２  プロセッサ、２４  画像データ生成部、２６  記憶部、２８  測定値演算部、３０  画像生成部、３２  ディスプレイ、３４  操作部、３６  システムコントローラ、３８  関心領域、４０  骨部組織線、４２  軟部組織線。
【図１】
2012196401.tif 000003
【図２】
2012196401.tif 000004
【図３】
2012196401.tif 000005
【図６】
2012196401.tif 000006
【図７】
2012196401.tif 000007
【図９】
2012196401.tif 000008
【図１０】
2012196401.tif 000009
【図１２】
2012196401.tif 000010
【図１３】
2012196401.tif 000011
【図１４】
2012196401.tif 000012
【図４】
2012196401.tif 000013
【図５】
2012196401.tif 000014
【図８】
2012196401.tif 000015
【図１１】
2012196401.tif 000016
【手続補正書】
【提出日】平成24年3月7日(2012.3.7)
【手続補正１】
【補正対象書類名】明細書
【補正対象項目名】００３０
【補正方法】変更
【補正の内容】
【００３０】
画像データ生成部２４は、ロー透過Ｘ線画像データおよびハイ透過Ｘ線画像データに基づいて、骨塩分布画像データを求める。画像データ生成部２４は、ロー透過Ｘ線画像データ、ハイ透過Ｘ線画像データおよび骨塩分布画像データを記憶部２６に記憶する。
【手続補正２】
【補正対象書類名】図面
【補正対象項目名】図９
【補正方法】変更
【補正の内容】
【図９】
2012196401.tif 000017
【手続補正３】
【補正対象書類名】図面
【補正対象項目名】図１０
【補正方法】変更
【補正の内容】
【図１０】
2012196401.tif 000018
【手続補正書】
【提出日】平成24年5月29日(2012.5.29)
【手続補正１】
【補正対象書類名】明細書
【補正対象項目名】００１４
【補正方法】変更
【補正の内容】
【００１４】
また、本発明に係る骨診断画像表示装置は、望ましくは、前記第１Ｘ線画像データに基づいて、前記被検体の軟部組織と空気との境界線を表す軟部組織線データを生成する軟部組織線データ生成部を備え、前記合成画像生成部は、前記軟部組織線データによって表される境界線を前記合成画像に重ねて前記表示手段に表示させる。
【手続補正２】
【補正対象書類名】明細書
【補正対象項目名】００６２
【補正方法】変更
【補正の内容】
【００６２】
上記では、図２のステップＳ１０１〜Ｓ１０８に示される処理が実行された後に、ステップＳ３０１以降の処理が実行される例について説明した。このような処理の代わりに、第２の応用例に係る画像表示処理が実行された後、すなわち、図９のステップＳ２１０に示される処理が実行された後に、ステップＳ３０１以降の処理を実行してもよい。
【手続補正３】
【補正対象書類名】特許請求の範囲
【補正対象項目名】全文
【補正方法】変更
【補正の内容】
【特許請求の範囲】
【請求項１】
被検体を透過した第１Ｘ線に基づいて第１Ｘ線画像データを生成し、前記第１Ｘ線のエネルギーとは異なるエネルギーを有し、前記被検体を透過した第２Ｘ線に基づいて第２Ｘ線画像データを生成する透過Ｘ線画像データ生成部と、
前記第１Ｘ線画像データおよび前記第２Ｘ線画像データに基づいて、前記被検体内の骨塩の分布を表す骨塩分布画像データを生成する骨塩分布画像データ生成部と、
前記第１Ｘ線画像データ、前記第２Ｘ線画像データ、または前記骨塩分布画像データのうちいずれかを、背景画像を表す背景画像データとして選択する背景画像選択部と、
前記背景画像を表示手段に表示させる背景画像表示部と、
前記背景画像に対して関心領域を設定する関心領域設定部と、
前記表示手段に前記背景画像が表示されているときに、前記関心領域の画像を表示するための関心領域データとして、前記第１Ｘ線画像データ、前記第２Ｘ線画像データ、または、前記骨塩分布画像データのうちいずれかを、ユーザの操作に応じて選択する関心領域画像選択部と、
前記背景画像のうち前記関心領域に対応する部分が、前記関心領域データに基づく画像に置き換えられた合成画像を表示手段に表示させる合成画像生成部と、
を備えることを特徴とする骨診断画像表示装置。
【請求項２】
請求項１に記載の骨診断画像表示装置において、
前記合成画像生成部は、
前記関心領域データに対しスムージング処理を施すスムージング処理手段と、
前記背景画像のうち前記関心領域に対応する部分が、前記スムージング処理が施された前記関心領域データに基づく画像に置き換えられたスムージング合成画像と、前記背景画像のうち前記関心領域に対応する部分が、前記スムージング処理が施されていない前記関心領域データに基づく画像に置き換えられた非スムージング合成画像と、を前記表示手段に表示させる見比べ用表示手段と、
前記見比べ用表示手段に基づく画像表示が行われているときにおけるユーザによる操作に応じて、前記スムージング合成画像または前記非スムージング合成画像のいずれかを前記表示手段に表示させる表示状態維持手段と、
を備えることを特徴とする骨診断画像表示装置。
【請求項３】
被検体を透過した第１Ｘ線に基づいて第１Ｘ線画像データを生成し、前記第１Ｘ線のエネルギーとは異なるエネルギーを有し、前記被検体を透過した第２Ｘ線に基づいて第２Ｘ線画像データを生成する透過Ｘ線画像データ生成部と、
前記第１Ｘ線画像データおよび前記第２Ｘ線画像データに基づいて、前記被検体内の骨塩の分布を表す骨塩分布画像データを生成する骨塩分布画像データ生成部と、
前記第１Ｘ線画像データ、前記第２Ｘ線画像データ、または前記骨塩分布画像データのうちいずれかを、背景画像を表す背景画像データとして選択する背景画像選択部と、
前記背景画像に対して関心領域を設定する関心領域設定部と、
前記背景画像のうち前記関心領域に対応する部分が、前記第１Ｘ線画像データに基づく画像に置き換えられた第１Ｘ線合成画像、前記第２Ｘ線画像データに基づく画像に置き換えられた第２Ｘ線合成画像、および、前記骨塩分布画像データに基づく画像に置き換えられた骨塩分布合成画像を生成する合成画像生成部と、
を備え、
前記合成画像生成部は、
前記第１Ｘ線合成画像、前記第２Ｘ線合成画像、および前記骨塩分布合成画像を表示手段に表示させる見比べ用表示手段と、
前記見比べ用表示手段による表示が行われているときにおけるユーザによる操作に応じて、これらの合成画像のいずれか１つを前記表示手段に表示させる表示状態維持手段と、
を備えることを特徴とする骨診断画像表示装置。
【請求項４】
請求項３に記載の骨診断画像表示装置において、
前記合成画像生成部は、
前記表示状態維持手段によって表示される合成画像について処理を施すスムージング処理手段および第２見比べ用表示手段を備え、
前記スムージング処理手段は、
前記関心領域に対応する関心領域データに対しスムージング処理を施し、
前記第２見比べ用表示手段は、
前記背景画像のうち前記関心領域に対応する部分が、前記スムージング処理が施された前記関心領域データに基づく画像に置き換えられたスムージング合成画像と、前記背景画像のうち前記関心領域に対応する部分が、前記スムージング処理が施されていない前記関心領域データに基づく画像に置き換えられた非スムージング合成画像と、を前記表示手段に表示させ、
前記表示状態維持手段は、
前記第２見比べ用表示手段に基づく画像表示が行われているときにおけるユーザによる操作に応じて、前記スムージング合成画像または前記非スムージング合成画像のうちいずれかを前記表示手段に表示させることを特徴とする骨診断画像表示装置。
【請求項５】
被検体を透過した第１Ｘ線に基づいて第１Ｘ線画像データを生成し、前記第１Ｘ線のエネルギーとは異なるエネルギーを有し、前記被検体を透過した第２Ｘ線に基づいて第２Ｘ線画像データを生成する透過Ｘ線画像データ生成部と、
前記第１Ｘ線画像データおよび前記第２Ｘ線画像データに基づいて、前記被検体内の骨塩の分布を表す骨塩分布画像データを生成する骨塩分布画像データ生成部と、
前記第１Ｘ線画像データ、前記第２Ｘ線画像データ、または前記骨塩分布画像データのうちいずれかを、背景画像を表す背景画像データとして選択する背景画像選択部と、
前記背景画像に対して関心領域を設定する関心領域設定部と、
前記関心領域の画像を表示するための関心領域データとして、前記第１Ｘ線画像データ、前記第２Ｘ線画像データ、または、前記骨塩分布画像データのうちいずれかを選択する関心領域画像選択部と、
前記背景画像のうち前記関心領域に対応する部分が、前記関心領域データに基づく画像に置き換えられた合成画像を表示手段に表示させる合成画像生成部と、
を備え、
前記合成画像生成部は、
前記関心領域データに対しスムージング処理を施すスムージング処理手段と、
前記背景画像のうち前記関心領域に対応する部分が、前記スムージング処理が施された前記関心領域データに基づく画像に置き換えられたスムージング合成画像と、前記背景画像のうち前記関心領域に対応する部分が、前記スムージング処理が施されていない前記関心領域データに基づく画像に置き換えられた非スムージング合成画像と、を前記表示手段に表示させる見比べ用表示手段と、
前記見比べ用表示手段に基づく画像表示が行われているときにおけるユーザによる操作に応じて、前記スムージング合成画像または前記非スムージング合成画像のいずれかを前記表示手段に表示させる表示状態維持手段と、
を備えることを特徴とする骨診断画像表示装置。
【請求項６】
請求項１から請求項５のいずれか１項に記載の骨診断画像表示装置において、
前記背景画像選択部は、
前記第１Ｘ線画像データまたは前記第２Ｘ線画像データのいずれかを前記被検体のＸ線に対する吸収率に基づいて選択する処理を実行することを特徴とする骨診断画像表示装置。
【請求項７】
請求項１から請求項６のいずれか１項に記載の骨診断画像表示装置において、
前記第１Ｘ線画像データおよび前記第２Ｘ線画像データに基づいて、前記被検体における骨部組織と軟部組織との境界線を表す骨部組織線データを生成する骨部組織線データ生成部を備え、
前記合成画像生成部は、
前記骨部組織線データによって表される境界線を合成画像に重ねて前記表示手段に表示させることを特徴とする骨診断画像表示装置。
【請求項８】
請求項１から請求項７のいずれか１項に記載の骨診断画像表示装置において、
前記第１Ｘ線画像データに基づいて、前記被検体の軟部組織と空気との境界線を表す軟部組織線データを生成する軟部組織線データ生成部を備え、
前記合成画像生成部は、
前記軟部組織線データによって表される境界線を合成画像に重ねて前記表示手段に表示させることを特徴とする骨診断画像表示装置。